(57)【特許請求の範囲】
【請求項１】
電動駆動部の動作を従動部材を介し、動力伝達部に伝えて栓の開閉を行えるように構成した排水栓装置において、前記電動駆動部を構成する駆動源，動力変換手段等をユニット化し、前記従動部材と前記動力伝達部との連結を解除せずに前記電動駆動部を前記従動部材に対し横方向から着脱可能に構成したことを特徴とする排水栓装置。
【請求項２】
手動用の操作ボタンから垂設された手動操作軸の下端に、前記従動部材が設けられて操作部ケース内に収容されているとともに、該操作部ケースに対し、前記ユニット化された電動駆動部を横方向から着脱可能に取り付けたことを特徴とする請求項１に記載の排水栓装置。
【請求項３】
前記電動駆動部の出力軸に設けられた電動昇降部材が、前記従動部材に対し横方向から挿着されていることを特徴とする請求項１または請求項２に記載の排水栓装置。
【発明の詳細な説明】
【０００１】
【発明の属する技術分野】
この発明は、浴槽の排水栓を開閉する排水栓装置に関するものである。
【０００２】
【従来の技術及び発明が解決しようとする課題】
従来、浴槽の排水栓を手動及び電動で開閉する排水栓装置として、例えば特開平１０−２１２７４７号公報，特開２００１−３２９５９１号公報，特開２００１−３１１１９６号公報に開示されているような構造のものが存在し、排水栓装置の操作部は、手動の操作ボタン，手動操作軸及び駆動源，動力変換手段を備えた電動駆動部等で構成されているが、手動操作軸または従動部材が電動駆動部の内部を貫通していたり、互いに連結されたりして構成されている。
なお、電動駆動部は電気部品や細かい機械部品等で構成されているため、取り外してメンテナンスや部材交換等が必要となるが、そのような際に電動駆動部を操作部から取り外すには、電動駆動部を貫通している操作軸や従動部材まで取り外す必要があったり、細かい部品を順番に分解する必要があったりして非常に面倒であった。
また、停電や故障等で電動駆動が途中で停止したまま動かなくなったような場合に、手動操作可能な状態にするにも、面倒な分解，組立作業が必要となり、ユーザーには難しく、専門のメンテナンス者が来るまでは手動操作も行うことができず、入浴もできない状態が生ずるという問題点があった。
【０００３】
【課題を解決するための手段】
本発明は上記従来の問題点に鑑み案出したものであって、電動駆動部を丸ごと着脱できて、電動駆動部のメンテナンス等が容易となり、また電動駆動部を取り外して手動操作可能とすることのできる排水栓装置を提供せんことを目的とし、その第１の要旨は、電動駆動部の動作を従動部材を介し、動力伝達部に伝えて栓の開閉を行えるように構成した排水栓装置において、前記電動駆動部を構成する駆動源，動力変換手段等をユニット化し、前記従動部材と前記動力伝達部との連結を解除せずに前記電動駆動部を前記従動部材に対し横方向から着脱可能に構成したことである。
また、第２の要旨は、手動用の操作ボタンから垂設された手動操作軸の下端に、前記従動部材が設けられて操作部ケース内に収容されているとともに、該操作部ケースに対し、前記ユニット化された電動駆動部を横方向から着脱可能に取り付けたことである。
また、第３の要旨は、前記電動駆動部の出力軸に設けられた電動昇降部材が、前記従動部材に対し横方向から挿着されていることである。
【０００４】
【発明の実施の形態】
以下、本発明の実施例を図面に基づいて説明する。
図１は、浴室の概略構成図であり、浴室１内に設けられた浴槽２の底部には栓部４が設けられ、栓部４は動力伝達部５（レリース等）を介して電動駆動部６に接続されて排水栓装置３が構成されており、浴室の天井裏には、排水栓装置３の電動駆動部６に電源を供給し、電動駆動部６を制御するための電源，制御部７が設けられている。
また、浴槽２内に湯を供給するための給湯装置８を操作するためのリモコン９が台所等に設けられており、給湯装置８を操作するための別のリモコン１０が浴室内に設けられている。なお、給湯装置８とリモコン１０は通信線４０で結ばれており、電源，制御部７と電動駆動部６は電源，通信線４１で結ばれている。
この浴室リモコン１０には発信部１０ａが設けられており、発信部１０ａからの信号が、天井に設けられた受信部７ａで受信されて電源，制御部７に信号が送られるように構成されている。
【０００５】
このような構成において、台所のリモコン９の湯張りスイッチをＯＮすると、給湯装置８と連動して排水栓装置３の電動駆動部６が作動し、浴槽２の底部の栓部４を閉じ、給湯装置８で沸かされた湯が浴槽２内に供給され、浴室１内へ行かなくても台所で湯張り操作を行い、浴槽２内に湯を溜めることができるように構成されている。
【０００６】
排水栓装置３は、図２に断面拡大図で示すような構造となっており、浴槽の底部２ａに設置される栓部４は、浴槽の排水口１１を上下動して開閉する栓体１２と、その下方に設けられたスラストロック機構１３を有し、このスラストロック機構１３は、動力伝達部のレリース１４が１回押されて栓体１２が上方へ移動して開くと、ロックして開状態を保持するものであり、もう一度、動力伝達部５が押されるとロックが解除されて、栓体１２が自重で下がり、排水口１１を閉止するように構成されている。
【０００７】
レリース１４は、内部の芯が移動できるものであり、レリース１４の外周はガイドチューブ１５で包囲されており、レリース１４の芯の他端は、固定状の連結部１６を介して、連結軸１８に連結されている。この連結軸１８，連結部１６，レリース１４，ガイドチューブ１５で動力伝達部５が構成されている。
なお、排水栓装置３の操作部ケース１９の下端には、ネジ部１９ａが形成されており、このネジ部１９ａに対し、下方側より押さえナット１７が締め付けられて、この押さえナット１７により連結部１６が固定されており、押さえナット１７にガイドチューブ１５の上端が嵌め込まれている。
【０００８】
操作部ケース１９は、右側面側が横方向に突出されて取付凸部１９ｂが形成されており、この取付凸部１９ｂに対し、ユニット化された電動駆動部６が、パッキン２５を介在させて４本のビス２６，２６，２６，２６で取り付けられている。
すなわち、図３の右側面構成図で示すように、４本のビス２６，２６，２６，２６で、電動駆動部６の電動駆動部上ケース２７と電動駆動部下ケース２８が、操作部ケース１９に取り付けられており、４本のビス２６，２６，２６，２６を取り外すことにより、図４に示すように、電動駆動部６の電動駆動部上ケース２７と電動駆動部下ケース２８を横方向に取り外すことができるように構成されている。
【０００９】
電動駆動部６の電動駆動部上ケース２７内には、モーター６ａと、このモーター６ａの回転を上下方向の昇降運動に変換する動力変換部６ｂが設けられており、モーター６ａには、コードブッシュ３１を介して電源，通信線４１が外側から接続されている。
このモーター６ａと動力変換部６ｂを収納した電動駆動部上ケース２７は、下方が開放されており、下方よりパッキン２９を介在させて４本のビス３０，３０，３０，３０により、電動駆動部下ケース２８の水平板部２８ａが取り付けられている。
この電動駆動部下ケース２８の水平板部２８ａから一体状に垂直板部２８ｃが設けられており、この垂直板部２８ｃの下端側が、前記ビス２６により、操作部ケース１９の取付凸部１９ｂにパッキン２５を介在させて取り付けられるものである。
【００１０】
なお、電動駆動部下ケース２８の水平板部２８ａには、下方へ突出状に軸受部２８ｂが形成されており、この軸受部２８ｂ内には、動力変換部６ｂから下方へ突出された出力軸６ｃが、オーリング３２及び、オーリング押さえ板３３を介在させて水密状に設けられており、出力軸６ｃの下端には、上下の止め輪３４，３４を介して固定状に、横方向へ延びる電動昇降部材３５が取り付けられている。
【００１１】
この電動昇降部材３５は、図５の斜視図で示すような形状となっており、出力軸６ｃが固定される出力軸固定部３５ａから、延出部３５ｂが一体形成され、延出部３５ｂの先端には、略Ｕ字状の二股片部３５ｃが一体形成されている。
この二股片部３５ｃ内に、従動部材２３が配置されるものであり、従動部材２３は、筒部２３ａと、その下端に外側へ突出する鍔部２３ｂが形成されており、筒部２３ａの下端側から内部に連結軸１８の上端が挿着されて固定されており、また、従動部材２３の筒部２３ａの上端側には、手動操作軸２２の下端が挿入されて固定されている。
【００１２】
このように、従動部材２３の筒部２３ａの外周に、電動昇降部材３５の二股片部２３ｃが挿着状に配置されており、電動昇降部材３５は従動部材２３に対し、横方向へ着脱できるものである。
すなわち、図４のように、ビス２６，２６，２６を取り外すことにより、この電動昇降部材３５を含むユニット化された電動駆動部６を横方向へ取り外せるものであり、また、電動駆動部６の装着も容易なように構成されている。
手動操作軸２２の上端には、手動用の操作ボタン２１が取り付けられており、この操作ボタン２１は、浴槽２の上方より操作部ケース１９にネジ部２０ａを介して螺合された操作ボタンガイド２０内に、上下動可能に配置されている。
【００１３】
図２の状態は、手動用の操作ボタン２１が操作されておらず、また電動駆動部６も駆動されておらず、栓部４が閉じられた状態である。
この状態から、台所リモコン９または浴室リモコン１０が操作されると、モーター６ａが回転して、動力変換部６ｂを介して出力軸６ｃが下方側へ移動し、図６に示すように、電動昇降部材３５が下動し、電動昇降部材３５の左端の二股片部３５ｃが従動部材２３の鍔部２３ｂ上に載っているため、従動部材２３も下方側へ移動されることとなり、これにより、従動部材２３に固定されている連結軸１８が下方へ押されて、レリース１４の芯が下方へ押され、栓１２は上方へ移動して排水口１１が開かれることとなる。この開いた状態で、スラストロック機構１３が作用して栓１２を開状態に保持することとなり、モーター６ａはその後に自動的に電動昇降部材３５を上昇させ、元の位置で停止されて図７の状態となるが、スラストロック機構１３の作用により栓１２は開いたままの状態に保持される。また、従動部材２３には操作ボタン２１の手動操作軸２２も連結されているため、手動の操作ボタン２１は下がった状態のままとなり、操作ボタン２１を目視すれば、栓１２が開状態であることを容易に知ることができるものとなる。
【００１４】
なお、再度、電動駆動部６が作動されて、再度、電動昇降部材３５が下動して、従動部材２３を下方に押すと、スラストロック機構１３が解除され、この状態では、栓１２の自重により、栓１２はゆっくりと排水口１１を蓋して閉状態となる。
このように電動駆動部６を電気的に駆動して、栓１２の開閉を行うことができるとともに、図７に示すように、手動で操作ボタン２１を押すことによっても、栓１２を開閉操作することができるものである。
図７のように、操作ボタン２１が押されると、手動操作軸２２が下動して、これに伴い従動部材２３が下がり、さらに連結軸１８が下がって、レリース１４を介して栓１２が開状態となるのであり、スラストロック機構１３により開状態が保持されることとなる。また、再度、操作ボタン２１を押すと、スラストロック機構１３が解除され、栓１２が自重で下がり、閉状態となる。
【００１５】
このように、本例の排水栓装置では、ビス２６を４本取り外すことで、図４のように、容易に操作部ケース１９から、ユニット化された電動駆動部６を取り外すことができて、電動駆動部６のメンテナンスや部品交換の作業を容易に行うことができるものである。
また、停電や故障で電動駆動部６が動かなくなったり、途中で止まったりした場合でも、電動駆動部６を図４のように丸ごと外側に取り外すことにより、手動の操作ボタン２１，手動操作軸２２を介して、栓１２の開閉を行うことができるため、メンテナンス者が来るまででも、手動操作により、浴槽２の排水や湯張りが可能となる。
【００１６】
なお、本例では、電動駆動部６は、モーター６ａと、このモーター６ａの回転を出力軸６ｃの昇降動に変換する動力変換部６ｂで構成したものを例示しているが、動力変換部６ｂは、カム機構やスライダークランク機構を用いたものであっても良く、また、モーター６ａは、ステッピングモーターや正逆回転式モーターで構成しても良い。
【００１７】
【発明の効果】
本発明は、電動駆動部の動作を従動部材を介し、動力伝達部に伝えて栓の開閉を行えるように構成した排水栓装置において、前記電動駆動部を構成する駆動源，動力変換手段等をユニット化し、前記従動部材と前記動力伝達部との連結を解除せずに前記電動駆動部を前記従動部材に対し横方向から着脱可能に構成したことにより、従来のように従動部材等の連結を解除する必要がなく、容易に電動駆動部を丸ごと着脱して、メンテナンスや部品交換を容易に行うことができるものとなる。
【００１８】
また、手動用の操作ボタンから垂設された手動操作軸の下端に、従動部材が設けられて操作部ケース内に収容されているとともに、操作部ケースに対し、ユニット化された電動駆動部を横方向から着脱可能に取り付けたことにより、停電や故障で電動駆動部が動かなくなったり、途中で止まったりしても、電動駆動部を丸ごと横から取り外すだけで、手動操作が可能となるため、メンテナンス者が来るまでの間に、手動操作により、浴槽の排水，湯張り等が可能となる効果を有する。
【図面の簡単な説明】
【図１】  排水栓装置を含む浴室のシステム構成図である。
【図２】  排水栓装置の拡大断面構成図である。
【図３】  排水栓装置の電動駆動部を右側方から見た側面図である。
【図４】  電動駆動部を操作部ケースから横方向へ取り外した状態の分解図である。
【図５】  電動昇降部材と従動部材の挿着状態の斜視構成図である。
【図６】  電動操作により栓を開けた状態の断面構成図である。
【図７】  手動操作で栓を開けた状態の断面構成図である。
【符号の説明】
１  浴室
２  浴槽
２ａ  浴槽底部
３  排水栓装置
４  栓部
５  動力伝達部
６  電動駆動部
７  電源，制御部
８  給湯装置
９  台所リモコン
１０  浴槽リモコン
１１  排水口
１２  栓
１３  スラストロック機構
１４  レリース
１５  ガイドチューブ
１６  連結部
１８  連結軸
１９  操作部ケース
１９ｂ  取付凸部
２０  操作ボタンガイド
２１  操作ボタン
２２  手動操作軸
２３  従動部材
２３ａ  筒部
２３ｂ  鍔部
２６，３０  ビス
２７  電動駆動部上ケース
２８  電動駆動部下ケース
２８ａ  水平板部
２８ｂ  軸受部
２８ｃ  垂直板部
３５  電動昇降部材
３５ａ  出力軸固定部
３５ｂ  延出部
３５ｃ  二股片部
【図１】
0003861201.tif 000002
【図２】
0003861201.tif 000003
【図３】
0003861201.tif 000004
【図４】
0003861201.tif 000005
【図５】
0003861201.tif 000006
【図６】
0003861201.tif 000007
【図７】
0003861201.tif 000008